(57)【要約】  本願は、ＣＳＩフィードバック性能を向上させ、より精密なＣＳＩフィードバックを提供するための情報伝送方法及び装置を開示している。本願が提供する情報伝送方法は、チャンネルにより伝送されるデータストリームの数を特定するステップと、前記チャンネルにより伝送されるデータストリームの数に基づき、前記データストリームの各々に対してフィードバックするチャンネル状態情報（ＣＳＩ）を特定して送信するステップと、を含み、前記データストリームの各々に対してフィードバックするＣＳＩは、多級ビームの情報を含む。
2021510270.tif 000002
【特許請求の範囲】
【請求項１】
チャンネルにより伝送されるデータストリームの数を特定するステップと、
前記チャンネルにより伝送されるデータストリームの数に基づき、前記データストリームの各々に対してフィードバックするチャンネル状態情報（ＣＳＩ）を特定して送信するステップと、を含み、
前記データストリームの各々に対してフィードバックするＣＳＩは、多級ビームの情報を含むことを特徴とする情報伝送方法。
【請求項２】
前記多級ビームは、第１級ビーム及び第２級ビームを含むことを特徴とする請求項１に記載の方法。
【請求項３】
前記データストリームの各々に対してフィードバックするＣＳＩを特定するステップは、具体的に、
第１級ビームセットから第１級ビームを選択し、第１級ビームに対応するＣＳＩ情報を特定するステップと、
前記第１級ビームの情報に基づき、第２級ビームセットから第２級ビームを選択し、第２級ビームに対応するＣＳＩ情報を特定するステップと、
を含むことを特徴とする請求項２に記載の方法。
【請求項４】
前記第２級ビームセットは、１つの単一のビームセットであるか、あるいは複数のビームサブセットを含むことを特徴とする請求項３に記載の方法。
【請求項５】
前記第２級ビームセット中に、複数の第２級ビームサブセットを含み、かつ、各々の第２級ビームサブセットが、第１級ビームセット中の１つのビームと互いに対応することを特徴とする請求項４に記載の方法。
【請求項６】
第１級ビームセットから第１級ビームを選択し、第１級ビームに対応するＣＳＩ情報を特定するステップは、具体的に、
得られたチャンネル状態情報に基づき、第１級ビームセットから１つ又は複数の第１級ビームを選択し、前記複数の第１級ビームに基づいてチャンネル量子化した情報を特定するステップを含み、
第２級ビームセットから第２級ビームを選択し、第２級ビームに対応する情報を特定するステップは、具体的に、
選択された第１級ビーム及び得られたチャンネル状態情報に基づき、第２級ビームセットから１つ又は複数の第２級ビームを選択し、前記複数の第２級ビームに基づいてチャンネル量子化した情報を特定するステップを含むことを特徴とする請求項３に記載の方法。
【請求項７】
前記データストリームの各々に対してフィードバックするＣＳＩを特定して送信する前記ステップは、具体的に、
第１級ビームセットから１つ又は複数の第１級ビームを選択し、選択された第１級ビームに対応するＣＳＩ情報を特定して送信するステップと、
第２級ビームセットから１つ又は複数の第２級ビームを選択し、選択された第２級ビームに対応するＣＳＩ情報を特定して送信するステップと、
を含むことを特徴とする請求項１に記載の方法。
【請求項８】
ネットワーク側の指示に基づいて、第１級ビームに対応するＣＳＩ情報及び／又は第２級ビームに対応するＣＳＩ情報をフィードバックすることを特定することを特徴とする請求項７に記載の方法。
【請求項９】
第２級ビームに対応するＣＳＩ情報は、単独に送信されるか、あるいは第１級ビームに対応するＣＳＩ情報と共同に送信されることを特徴とする請求項８に記載の方法。
【請求項１０】
前記多級ビームの情報は、少なくとも多級ビームのインデックス及び量子化パラメータを含むことを特徴とする請求項１〜９のいずれか１項に記載の方法。
【請求項１１】
前記量子化パラメータは、幅係数及び位相係数を含むことを特徴とする請求項１０に記載の方法。
【請求項１２】
プログラム命令を記憶するためのメモリと、
前記メモリに記憶されているプログラム命令をスケジューリングし、得られたプログラムに従って、チャンネルにより伝送されるデータストリームの数を特定するステップ、及び前記チャンネルにより伝送されるデータストリームの数に基づき、前記データストリームの各々に対してフィードバックするチャンネル状態情報（ＣＳＩ）を特定して送信するステップを実行するためのプロセッサと、を含み、
前記データストリームの各々に対してフィードバックするＣＳＩは、多級ビームの情報を含むことを特徴とする情報伝送装置。
【請求項１３】
前記多級ビームは、第１級ビームと第２級ビームとを含むことを特徴とする請求項１２に記載の装置。
【請求項１４】
前記プロセッサは、具体的に、
第１級ビームセットから第１級ビームを選択し、第１級ビームに対応するＣＳＩ情報を特定し、
前記第１級ビームの情報に基づき、第２級ビームセットから第２級ビームを選択し、第２級ビームに対応するＣＳＩ情報を特定するためであることを特徴とする請求項１３に記載の装置。
【請求項１５】
前記第２級ビームセットは、１つの単一のビームセットであるか、あるいは複数のビームサブセットを含むことを特徴とする請求項１４に記載の装置。
【請求項１６】
前記第２級ビームセット中に、複数の第２級ビームサブセットを含み、かつ各々の第２級ビームサブセットが、第１級ビームセット中の１つのビームに対応することを特徴とする請求項１５に記載の装置。
【請求項１７】
前記プロセッサは、第１級ビームセットから第１級ビームを選択し、第１級ビームに対応するＣＳＩ情報を特定する際に、具体的に、得られたチャンネル状態情報に基づき、第１級ビームセットから１つ又は複数の第１級ビームを選択し、前記複数の第１級ビームに基づいてチャンネル量子化した情報を特定するためであり、
前記プロセッサは、第２級ビームセットから第２級ビームを選択し、第２級ビームに対応する情報を特定する際に、具体的に、選択された第１級ビーム及び得られたチャンネル状態情報に基づき、第２級ビームセットから１つ又は複数の第２級ビームを選択し、前記複数の第２級ビームに基づいてチャンネル量子化した情報を特定するためであることを特徴とする請求項１４に記載の装置。
【請求項１８】
前記プロセッサは、具体的に、
第１級ビームセットから１つ又は複数の第１級ビームを選択し、選択された第１級ビームに対応するＣＳＩ情報を特定して送信し、
第２級ビームセットから１つ又は複数の第２級ビームを選択し、選択された第２級ビームに対応するＣＳＩ情報を特定して送信するためであることを特徴とする請求項１２に記載の装置。
【請求項１９】
前記プロセッサは、具体的に、
ネットワーク側の指示に基づき、第１級ビームに対応するＣＳＩ情報及び／又は第２級ビームに対応するＣＳＩ情報をフィードバックすることを特定するためであることを特徴とする請求項１８に記載の装置。
【請求項２０】
第２級ビームに対応するＣＳＩ情報は、単独に送信されるか、あるいは第１級ビームに対応するＣＳＩ情報と共同に送信されることを特徴とする請求項１９に記載の装置。
【請求項２１】
前記多級ビームの情報は、少なくとも多級ビームのインデックス及び量子化パラメータを含むことを特徴とする請求項１２〜２０のいずれか１項に記載の装置。
【請求項２２】
前記量子化パラメータは、幅係数及び位相係数を含むことを特徴とする請求項２１に記載の装置。
【請求項２３】
チャンネルにより伝送されるデータストリームの数を特定するための第１ユニットと、
前記チャンネルにより伝送されるデータストリームの数に基づき、前記データストリームの各々に対してフィードバックするチャンネル状態情報（ＣＳＩ）を特定して送信するための第２ユニットと、を含み、
前記データストリームの各々に対してフィードバックするＣＳＩは、多級ビームの情報を含むことを特徴とする情報伝送装置。
【請求項２４】
コンピュータ読取可能な記憶媒体であって、前記コンピュータに請求項１から１１のいずれか１項に記載の方法を実行させるためのコンピュータ実行可能な命令が記憶されていることを特徴とするコンピュータ読取可能な記憶媒体。
【発明の詳細な説明】
【技術分野】
【０００１】
本願は、２０１８年１月１２日に中国専利局へ提出された、出願番号第２０１８１００３２１２８．４号、発明の名称が「情報伝送方法及び装置」の中国特許出願の優先権を主張し、その全ての内容を引用により本願に組み込む。
【０００２】
本願は、通信技術分野に関し、特に情報伝送方法及び装置に関する。
【背景技術】
【０００３】
新無線（Ｎｅｗ  Ｒａｄｉｏ，ＮＲ）時期（ｐｈａｓｅ）１に、チャンネル状態情報（Ｃｈａｎｎｅｌ   Ｓｔａｔｅ   Ｉｎｆｏｒｍａｔｉｏｎ，ＣＳＩ ）タイプ（ｔｙｐｅ）１及びＣＳＩタイプ２のフィードバック方式について、既に初期的な標準定義がある。ＣＳＩタイプ１は、従来のコードブックフィードバック方法を受け継ぎ、コードブック構造がＷ＝Ｗ１＊Ｗ２（ただし、Ｗ１は長期間（ｌｏｎｇ  ｔｅｒｍ）のビーム（ｂｅａｍ）方向に対応し、Ｗ２はビームの選択及び二重分極の係数統合に対応する）と仮定されている。ＣＳＩタイプ２は、より先端な量子化技術であり、ロングタームエボリューション（ＬＴＥ）リビジョン１４（Ｒ１４）において既に初期的な検討があり、主にチャンネル係数に対する直接量子化に偏重し、ＣＳＩフィードバックは、ビームの選択及び相応する係数のフィードバックを含み、具体的に、データストリーム（ｌａｙｅｒ）の各々に対して、いずれも下記幾つかの部分のＣＳＩコンテンツを含む。
【０００４】
ビームインデックス（Ｂｅａｍ  ｉｎｄｅｘ）、
広帯域幅係数、
狭帯域幅係数及び位相係数。
【０００５】
ＣＳＩタイプ２のフィードバック方式において、各々のレイヤに基づいてフィードバックするため、つまり、伝送すべきデータのストリーム数に基づいてＣＳＩを量子化するため、複数のビームの選択の統合に基づき、各々のレイヤからフィードバックされるＣＳＩが各々のレイヤの特異ベクトルに近づくことが最も好ましい。注意すべきことに、ビーム及び係数の選択は、アンテナの分極方向に基づいてそれぞれ行われる。
【０００６】
以上より、従来技術は、ビームの選択に基づいて各ビームの量子化を行い、複数のビームの量子化統合を行い、コードブックに基づくタイプ１のフィードバックに対して、性能が非常に大きく向上されたが、理想的なＣＳＩフィードバックに対して、依然として非常に大きな差があり、主な欠点は、ビームの選択が広帯域であることと、ビームの数が限られることを含む。
【発明の概要】
【課題を解決するための手段】
【０００７】
本願の実施例は、ＣＳＩフィードバック性能を向上させ、より精密なＣＳＩフィードバックを提供するための情報伝送方法及び装置を提供する。
【０００８】
本願の実施例が提供する情報伝送方法は、
チャンネルにより伝送されるデータストリームの数を特定するステップと、
前記チャンネルにより伝送されるデータストリームの数に基づき、前記データストリームの各々に対してフィードバックするチャンネル状態情報（ＣＳＩ）を特定して送信するステップと、を含み、
前記データストリームの各々に対してフィードバックするＣＳＩは、多級ビームの情報を含む。
【０００９】
該方法により、前記チャンネルにより伝送されるデータストリームの数に基づき、前記データストリームの各々に対してフィードバックするチャンネル状態情報（ＣＳＩ）を特定して送信し、その中、前記データストリームの各々に対してフィードバックするＣＳＩは、多級ビームの情報を含み、これによりＣＳＩフィードバック性能を向上させ、より精密なＣＳＩフィードバックを提供することができる。
【００１０】
好ましくは、前記多級ビームは、第１級ビーム及び第２級ビームを含む。
【００１１】
好ましくは、前記データストリームの各々に対してフィードバックするＣＳＩを特定する前記ステップは、具体的に、
第１級ビームセットから第１級ビームを選択し、第１級ビームに対応するＣＳＩ情報を特定するステップと、
前記第１級ビームの情報に基づき、第２級ビームセットから第２級ビームを選択し、第２級ビームに対応するＣＳＩ情報を特定するステップと、を含む。
【００１２】
好ましくは、前記第２級ビームセットは、１つの単一のビームセットであるか、あるいは複数のビームサブセットを含む。
【００１３】
好ましくは、前記第２級ビームセット中に、複数の第２級ビームサブセットを含み、かつ、各々の第２級ビームサブセットが、第１級ビームセット中の１つのビームと互いに対応する。
【００１４】
好ましくは、第１級ビームセットから第１級ビームを選択し、第１級ビームに対応するＣＳＩ情報を特定する前記ステップは、具体的に、
得られたチャンネル状態情報に基づき、第１級ビームセットから１つ又は複数の第１級ビームを選択し、前記複数の第１級ビームに基づいてチャンネル量子化した情報を特定するステップを含み、
第２級ビームセットから第２級ビームを選択し、第２級ビームに対応する情報を特定する前記ステップは、具体的に、
選択された第１級ビーム及び得られたチャンネル状態情報に基づき、第２級ビームセットから１つ又は複数の第２級ビームを選択し、前記複数の第２級ビームに基づいてチャンネル量子化した情報を特定するステップを含む。
【００１５】
好ましくは、前記データストリームの各々に対してフィードバックするＣＳＩを特定して送信する前記ステップは、具体的に、
第１級ビームセットから１つ又は複数の第１級ビームを選択し、選択された第１級ビームに対応するＣＳＩ情報を特定して送信するステップと、
第２級ビームセットから１つ又は複数の第２級ビームを選択し、選択された第２級ビームに対応するＣＳＩ情報を特定して送信するステップと、
を含む。
【００１６】
好ましくは、ネットワーク側の指示に基づいて、第１級ビームに対応するＣＳＩ情報及び／又は第２級ビームに対応するＣＳＩ情報をフィードバックすることを特定する。
【００１７】
好ましくは、第２級ビームに対応するＣＳＩ情報は、単独に送信されるか、あるいは第１級ビームに対応するＣＳＩ情報と共同に送信される。
【００１８】
好ましくは、前記多級ビームの情報は、少なくとも多級ビームのインデックス及び量子化パラメータを含む。
【００１９】
好ましくは、前記量子化パラメータは、幅係数及び位相係数を含む。
【００２０】
本願の実施例が提供する情報伝送装置は、
プログラム命令を記憶するためのメモリと、
前記メモリに記憶されているプログラム命令をスケジューリングし、得られたプログラムに従って、チャンネルにより伝送されるデータストリームの数を特定するステップ、及び前記チャンネルにより伝送されるデータストリームの数に基づき、前記データストリームの各々に対してフィードバックするチャンネル状態情報（ＣＳＩ）を特定して送信するステップを実行するためのプロセッサと、を含み、
前記データストリームの各々に対してフィードバックするＣＳＩは、多級ビームの情報を含む。
【００２１】
好ましくは、前記多級ビームは、第１級ビームと第２級ビームとを含む。
【００２２】
好ましくは、前記プロセッサは、具体的に、
第１級ビームセットから第１級ビームを選択し、第１級ビームに対応するＣＳＩ情報を特定し、
前記第１級ビームの情報に基づき、第２級ビームセットから第２級ビームを選択し、第２級ビームに対応するＣＳＩ情報を特定するためである。
【００２３】
好ましくは、前記第２級ビームセットは、１つの単一のビームセットであるか、あるいは複数のビームサブセットを含む。
【００２４】
好ましくは、前記第２級ビームセット中に、複数の第２級ビームサブセットを含み、かつ各々の第２級ビームサブセットが、第１級ビームセット中の１つのビームに対応する。
【００２５】
好ましくは、前記プロセッサは、第１級ビームセットから第１級ビームを選択し、第１級ビームに対応するＣＳＩ情報を特定する際に、具体的に、得られたチャンネル状態情報に基づき、第１級ビームセットから１つ又は複数の第１級ビームを選択し、前記複数の第１級ビームに基づいてチャンネル量子化した情報を特定するためであり、
前記プロセッサは、第２級ビームセットから第２級ビームを選択し、第２級ビームに対応する情報を特定する際に、具体的に、選択された第１級ビーム及び得られたチャンネル状態情報に基づき、第２級ビームセットから１つ又は複数の第２級ビームを選択し、前記複数の第２級ビームに基づいてチャンネル量子化した情報を特定するためである。
【００２６】
好ましくは、前記プロセッサは、具体的に、
第１級ビームセットから１つ又は複数の第１級ビームを選択し、選択された第１級ビームに対応するＣＳＩ情報を特定して送信し、
第２級ビームセットから１つ又は複数の第２級ビームを選択し、選択された第２級ビームに対応するＣＳＩ情報を特定して送信するためである。
【００２７】
好ましくは、前記プロセッサは、具体的に、
ネットワーク側の指示に基づき、第１級ビームに対応するＣＳＩ情報及び／又は第２級ビームに対応するＣＳＩ情報をフィードバックすることを特定するためである。
【００２８】
好ましくは、第２級ビームに対応するＣＳＩ情報は、単独に送信されるか、あるいは第１級ビームに対応するＣＳＩ情報と共同に送信される。
【００２９】
好ましくは、前記多級ビームの情報は、少なくとも多級ビームのインデックス及び量子化パラメータを含む。
【００３０】
好ましくは、前記量子化パラメータは、幅係数及び位相係数を含む。
【００３１】
本願の実施例が提供するもう１つの情報伝送装置は、
チャンネルにより伝送されるデータストリームの数を特定するための第１ユニットと、
前記チャンネルにより伝送されるデータストリームの数に基づき、前記データストリームの各々に対してフィードバックするチャンネル状態情報（ＣＳＩ）を特定して送信するための第２ユニットと、を含み、
前記データストリームの各々に対してフィードバックするＣＳＩは、多級ビームの情報を含む。
【００３２】
本願のもう１つの実施例は、コンピュータ読取可能な記憶媒体を提供し、前記コンピュータ読取可能な記憶媒体には、前記コンピュータに上記のいずれか１つの方法を実行させるためのコンピュータ実行可能な命令が記憶されている。
【図面の簡単な説明】
【００３３】
本願の実施例における技術的解決手段をより明確に説明するために、以下、実施例の記載に使用する必要がある図面を簡単に紹介し、明らかに、以下の記載における図面は本願の幾つかの実施例に過ぎず、当業者であれば、創造的工夫をしなくても、さらにこれらの図面に基づいて他の図面を得ることができる。
【００３４】
【図１】図１は本願の実施例が提供する２級ビームのカバレッジエリアの模式図である。
【図２】図２は本願の実施例が提供する情報伝送方法のフローチャート模式図である。
【図３】図３は本願の実施例が提供する情報伝送装置の構造模式図である。
【図４】図４は本願の実施例が提供するもう１つの情報伝送装置の構造模式図である。
【発明を実施するための形態】
【００３５】
本願の実施例は、ＣＳＩフィードバック性能を向上させ、より精密なＣＳＩフィードバックを提供するための情報伝送方法及び装置を提供する。
【００３６】
５Ｇ  ＮＲシステムにおいて、下りシステムの容量を向上させるために、ＣＳＩフィードバックの精度がＬＴＥより大きく向上され、タイプ１及びタイプ２のＣＳＩフィードバック方式に対する基準化が行われている。基準化プロセスの制限により、タイプ２のＣＳＩフィードバックが十分に最適化されていない。本願の実施例は、ＣＳＩフィードバック方案を提供し、全体オーバーヘッドが制御可能な前提で、多級量子化メカニズムを用い、タイプ２のＣＳＩ量子化方案をさらに最適化し、下り伝送の容量を有効に高めることができる。
【００３７】
本願の実施例が提供するＣＳＩのフィードバック方法は、ＣＳＩのフィードバック精度を高めることができ、基地局に精度がより高いＣＳＩを取得させることができ、主にチャンネルにより伝送されるデータストリームの数に基づき、各々のデータストリームに多級（例えば２段）チャンネル係数フィードバックを提供し、すなわち、ランク数に基づき、各々のレイヤのために２級ビームインデックス及び関連する係数を独立にフィードバックし、具体的には、以下の方法を含む。
【００３８】
方法１は、２級チャンネル係数を用いて共同フィードバックを行う。
【００３９】
第１級フィードバックは、第１級ビームセット（ｓｅｔ）に対応し、Ｎ１個のビームを含み、第２級フィードバックは、第２級ビームセットに対応し、第２級ビームセットは、Ｎ２個のビームを含む１つの大きなセットであってもよいし、複数のビームサブセット（ｓｕｂｓｅｔ）を含むセットであってもよい。
【００４０】
ビームの選択について、例えば、下記２つの具体的な方案を含んでもよい。
【００４１】
第１の方案は、ＵＥが第１級ビームセットから１つ又は複数のビームを選択し、さらに選択されたビームのインデックス（ｉｎｄｅｘ）に基づき、第２級ビームフィードバックを行い、各々の第１級ビームに対して、対応するビームサブセットから１つ又は複数の第２級ビームを選択する。
【００４２】
第２の方案は、ＵＥが第１級ビームセットから複数のビームを選択して量子化フィードバックを行い、その後、第２級ビームセットから適切なビームを選択して量子化フィードバックを行う。
【００４３】
２級ビームのインデックス及び対応する係数をｇＮＢへフィードバックする。
【００４４】
方法２は、２級チャンネル係数を用いて独立にフィードバックする。
【００４５】
第１級ビームフィードバックが第１級ビームセットに対応し、第１級ビームセットから１つ又は複数のビームを選択する。
【００４６】
第２級ビームフィードバックが第２級ビームセットに対応し、第２級ビームセットから１つ又は複数のビームを選択する。
【００４７】
第１級ビーム情報のフィードバック及び第２級ビーム情報のフィードバックは、いずれもネットワーク側によって設定することができ、端末は、ネットワーク側のシグナリングに基づいて第１級ビーム情報又は第２級ビーム情報をフィードバックするように選択することができ、２種の情報を同時にフィードバックしてもよい。典型的な適用は、ネットワーク側によって周期性の第１級ビーム情報のフィードバック及び非周期性の第２級ビーム情報のフィードバックを設定する。もちろん、ＵＥによって、第１級ビーム情報又は第２級ビーム情報を報告するか、あるいは２種類の情報を同時に報告するかを自ら決めてもよい。
【００４８】
図１に示すように、２級ビーム（即ち、図中のレベル１のビーム及びレベル２のビーム）の構造を示し、レベル１のビームは、１つのセルを４つのエリアに区画し、各々のエリアが１つの第１級ビームに対応し、それぞれビーム１、ビーム２、ビーム３、ビーム４であり、さらに、１つの第１級ビームにおいて、さらに４つの第２級ビーム（即ち、レベル２のビーム）に区画してカバレッジを行う。
【００４９】
以下、具体的な例を挙げて説明する。
【００５０】
実施例１  ２級ビームとチャンネル係数との共同フィードバック。
【００５１】
ビームセットの構築
第１級フィードバックが第１級ビームセットに対応し、Ｎ１個のビームベクトルを含む。
【００５２】
例えば、Ｂ１は、第１級ビームセットを表し、Ｂ１＝［Ｖ１，Ｖ２…ＶＮ１］であり、Ｖｉは１つのＮ＊１の離散フーリエ変換（Ｄｉｓｃｒｅｔｅ  Ｆｏｕｒｉｅｒ  Ｔｒａｎｓｆｏｒｍ，ＤＦＴ）ビームベクトルであり、Ｂ１に属し、ｉの値の範囲が１〜Ｎ１であり、Ｎはチャンネル状態情報参照信号（Ｃｈａｎｎｅｌ  ｓｔａｔｅ  ｉｎｆｏｒｍａｔｉｏｎ  ＲＳ，ＣＳＩ−ＲＳ）のポート数である。Ｂ１のビーム総数がＮ１個である。
【００５３】
第２級フィードバックが第２級ビームセットに対応し、Ｎ２個のビームを含む１つの単一の大きいセット、あるいは複数のビームの小さいセット（即ち、ビームサブセット）を生成することができる。
【００５４】
大きいビームセットは、ＤＦＴベクトルを用いて生成することができる。
【００５５】
複数のビームの小さいセットは、第１級ビームセットの各々のビームのために１つの対応するビームサブセットを生成することができ、各々のビームサブセットがＫ個のビームを含む。
【００５６】
例えば、Ｂ２（ｉ）は、１つの第２級ビームサブセットを表し、Ｂ２（ｉ）＝［Ｕ１，Ｕ２…ＵＮ２］、Ｕｊは、１つのＮ＊１のビームベクトルであり、Ｂ２（ｉ）に属し、ｊの値の範囲は１〜Ｎ２であり、Ｎは、ＣＳＩ−ＲＳのポート数であり、ここで、ｉは、１つのビームサブセットのインデックスを表す。
【００５７】
Ｂ２は、複数種の生成方式があり、例えば、以下の方式がある。
【００５８】
第１種の生成方式において、Ｂ２（ｉ）は任意の１つのビームサブセットを表し、Ｂ２（ｉ）＝｛Ｖｉ○Ｃ｝、Ｃは１つのＤＦＴベクトルセットであり、Ｖｉは第１級ビームセットにおけるビームベクトルである。○は、Ｃの、Ｖｉ方向における投影を指す。
【００５９】
第２種の生成方式において、１つの（Ｍ＊Ｎ，Ｍ＊Ｎ）のＤＦＴセットを生成し、その中からＮ列を選択して、１つの（Ｎ，Ｍ＊Ｎ）のベクトルセットを構成し、各々のベクトルは、Ｎ＊１のビームベクトルであり、その中から各々の第１級ビームベクトルに対して１つのサブセットを選択し、各々のサブセットがＫ個のビームベクトルを含む。
【００６０】
第１級ビーム及び第２級ビームのセットにおいて、フィードバックオーバーヘッドを低減するために、各々のビームセットに対して回転を行うことができ（具体的な回転方式は従来技術であり、ここではその説明を省略する）、つまり、方向の回転により１つの新しいビームセットを生成することを指し、この時、ＵＥは、ビームインデックス及び対応する回転因子インデックスを選択する必要がある。回転前に、１つのビームセットに含まれるビームは、１つのベクトル空間において均一に分割されるが、ビーム間に依然として角度間隔が存在し、もし１つの回転因子で乗算すると、新しいビームセットが回転前に対して角度オフセットがあることを意味するので、新しいビームセットは１つ前のビームセットの空き間隔を補填して、同一ベクトル空間において角度オフセット後の均一分割を行うことができる。
【００６１】
以上のビームセットにおいて、ビームベクトルのダイメンションがＮ＊１であり、もし基地局のアンテナが分極されていれば、ビームの数を低減するために、ビームベクトルのダイメンションをＮ／２＊１とすることができ、すなわち、各々の分極方向のアンテナは単独にチャンネル量子化を行い、フィードバックするビーム及び量子化係数は、２つの分極方向の情報を含む必要がある。
【００６２】
ビーム及び関連係数の選択について以下のように紹介する。
【００６３】
受信したチャンネル情報Ｈに対して、特異値分解（ＳＶＤ）を行い、各々の特異ベクトルに対して、独立にフィードバックを行う。
【００６４】
ランク１を例として量子化について説明する。
【００６５】
第１歩は、特異ベクトルＶに対して第１級ビームの選択を行い、マッチング程度に基づいて１つ又は複数のビームベクトル及び相応する係数を特定する。
【００６６】
マッチング公式は、ｍａｘ｛ｃｏｒｒ（Ｖ，Ｖｉ）｝であり、すなわち、特異ベクトルとの相関値が大きいベクトルを探し、選択されたＶｉに基づいて、量子化係数の選択を行い、Ｖ〜＝Ｃ１ｉ＊Ｖｉであり、Ｃ１ｉは、予め定義された位相幅係数から１つの最適な係数を選択して、ＶｉをＶに最も近くする。もし各々の分極方向に対して単独にチャンネル量子化を行えば、単一分極方向のチャンネル及びビームを選択してそれぞれマッチング量子化する必要がある。
【００６７】
第１級ビームに対する選択は、２つの方案が考えられる。
【００６８】
方案１は、１つの広帯域ビームを選択し、しかし、量子化係数がサブバンドのものである。
【００６９】
この場合、ビームの選択が広帯域であり、つまり、１つの搬送波又は１つの帯域幅部分（Ｂａｎｄｗｉｄｔｈ  ｐａｒｔ，ＢＷＰ）に対して１つのビームを選択することを指す。量子化係数の選択は、サブバンドに基づいて算出しなければならず、まず１つのサブバンドの特異ベクトルを取得し、また、ランク１のビームの選択であるため、最大の特異ベクトルに対して係数マッチングを行う。
【００７０】
方案２は、各々のサブバンドに対してビーム及び係数を独立に選択する。
【００７１】
この場合、ビームの選択が狭帯域であり、つまり、各々の周波数帯域のサブバンドの全てに対してもビームの選択及び係数選択を行う必要があることを指し、具体的には、まず、１つのサブバンドの特異ベクトルを取得し、上述したマッチング公式に基づき、ビーム及び量子化係数を同時に選択する。
【００７２】
実際の演算において、幅のフィードバック量が大きく、幅係数を広帯域係数及び狭帯域係数に分ける必要があり、広帯域係数とは、１つの大きい帯域幅（例えば２０Ｍｈｚ）が１つの係数を用いることを指し、狭帯域係数は、各々のサブバンド（例えば１Ｍｈｚ）の該広帯域係数に対するオフセット値である。
【００７３】
ランクが１超えであれば、各々のレイヤに対してビームの選択及び係数の選択を独立に行う必要があり、具体的なステップがランク１と類似する。
【００７４】
第１級ビームを量子化した後にフィードバックする必要のある係数は、ビームインデックス、位相及び幅係数を含む。好ましくは、ビームは、広帯域ビーム及びサブバンドビームに細かく分けることができ、係数はさらにサブバンド幅係数、広帯域幅係数及び位相係数に分けることができる。
【００７５】
第２歩は、第２級ビームベクトル及び相応する係数を選択する。
【００７６】
第１級ビームを１つだけ選択すると仮定すれば、対応する２番目のビームサブセットから相応するビームを選択すればよく、具体的に以下の公式により行う。
【００７７】
Ｖ〜＝Ｃ１ｉ＊Ｖｉ＋Ｃ２ｊ＊Ｕｊ
【００７８】
式中、Ｃ２ｊは第２級ビームの係数であり、Ｕｊは第２級ビームベクトルである。
【００７９】
第２級ビームの選択はサブバンドにおいて行われ、すなわち、各々のサブバンドには独立の２級ビーム及び係数選択がある。
【００８０】
１つの大きい２級ビームセットから適切なビームを選択して量子化してもよく、同様に上記の公式に従って算出する。
【００８１】
Ｖ〜＝Ｃ１ｉ＊Ｖｉ＋Ｃ２ｊ＊Ｕｊ
【００８２】
式中、Ｃ２ｊは第２級ビームの係数であり、Ｕｊは第２級ビームベクトルである。
【００８３】
第２級ビームの選択は、より精密なビームの選択であるため、ビームの選択はサブバンドにおいて行われ、係数もサブバンドのものである。
【００８４】
第２級の量子化後に要求されるフィードバック係数は、第２級ビームインデックス、サブバンドの位相及び幅係数を含む。
【００８５】
ビームインデックス及び量子化係数のフィードバックについて以下のように紹介する。
【００８６】
第１級及び第２級のビームインデックスならびに相応する係数のフィードバックは、別々に行うことができ、具体的には以下の方案を含む。
【００８７】
方案１は、単一の物理上がりリンク制御チャンネル（Ｐｈｙｓｉｃａｌ  Ｕｐｌｉｎｋ  Ｃｏｎｔｒｏｌ  ＣＨａｎｎｅｌ，ＰＵＣＣＨ）において第１級ビームインデックス及び係数、第２級ビームインデックス及び係数をフィードバックし、２つの部分に対して独立に符号化する。
【００８８】
チャンネル係数のフィードバック量が大きいので、ロング（ｌｏｎｇ）ＰＵＣＣＨフィードバックを用いることができる。
【００８９】
方案２は、異なるＰＵＣＣＨを用いて第１級ＣＳＩ及び第２級ＣＳＩをフィードバックし、異なる周期を設定する。
【００９０】
方案３は、単一のＰＵＳＣＨにおいて第１級及び第２級ビームインデックスならびに係数を搬送する。
【００９１】
方案４は、ＰＵＣＣＨにおいて第１級広帯域ビームインデックス及び広帯域係数をフィードバックし、物理上がりリンク共有チャンネル（Ｐｈｙｓｉｃａｌ  Ｕｐｌｉｎｋ  Ｓｈａｒｅｄ  Ｃｈａｎｎｅｌ，ＰＵＳＣＨ）において残りのサブバンドビームインデックス及び係数をフィードバックする。
【００９２】
方案５は、ショート（ｓｈｏｒｔ）ＰＵＣＣＨにおいて第１級広帯域ビームインデックス及び幅係数をフィードバックし、ロングＰＵＣＣＨにおいて残りのサブバンドビームインデックス及び係数をフィードバックする。
【００９３】
実施例２
２級ビーム及びチャンネル係数を独立にフィードバックする。
【００９４】
独立の２級ＣＳＩフィードバックについて、ビームセット及びビームの選択は共同フィードバックと同じであり、主な相違点はフィードバック方式にある。独立の２級フィードバックにおいて、第１級ビームのフィードバックが周期的であり、第２級ビームのフィードバックが必要に応じてトリガーされ、ｇＮＢ又はＵＥによりトリガーされて報告することができる。
【００９５】
第１級及び第２級フィードバックのトリガー方式が異なるので、下記幾つかのＣＳＩ報告方案に分けることができる。
【００９６】
方案１は、第１級ビームのフィードバックに１つの周期的ＰＵＣＣＨを用い、第２級ビームのフィードバックに非周期的ＰＵＣＣＨを用いる。
【００９７】
方案２は、ＰＵＣＣＨを用いて第１級ビームインデックス及び係数をフィードバックし、ＰＵＳＣＨをトリガーして第２級狭帯域ビームインデックス及び係数をフィードバックする。
【００９８】
本願の実施例に記載の狭帯域は、前記の１つのサブバンドに対応し、第２級ビームのフィードバックに対応する。
【００９９】
方案３は、半永続（ｓｅｍｉ−ｐｅｒｓｉｓｔｅｎｔ）の方式を用い（該方式は従来技術であり、一定の時間で周期的フィードバックを行うことを指し、１つのアクティベートシグナリング及び１つのリリースシグナリングが必要である）、第１級ビームインデックス及び係数をフィードバックし、ＰＵＳＣＨをトリガーして第２級ビームインデックス及び係数をフィードバックする。
【０１００】
以上より、図２に示すように、端末側において、本願の実施例が提供する情報伝送方法は、
チャンネルにより伝送されるデータストリームの数を特定するＳ１０１と、
前記チャンネルにより伝送されるデータストリームの数に基づき、前記データストリームの各々に対してフィードバックするチャンネル状態情報（ＣＳＩ）を特定して送信する
Ｓ１０２とを含み、前記データストリームの各々に対してフィードバックするＣＳＩは、多級ビームの情報を含む。
【０１０１】
前記多級ビームの情報は、例えば２級ビームの情報であってもよく、もちろん、より多級のビームの情報であってもよい。上記実施例では２級ビームの情報を例として説明しているが、これに限られない。
【０１０２】
この方法により、前記チャンネルにより伝送されるデータストリームの数に基づき、前記データストリームの各々に対してフィードバックするチャンネル状態情報（ＣＳＩ）を特定して送信し、前記データストリームの各々に対してフィードバックするＣＳＩは、多級ビームの情報を含み、ＣＳＩフィードバック性能を高め、より精密なＣＳＩフィードバックを提供することができる。
【０１０３】
好ましくは、前記多級ビームは、第１級ビーム及び第２級ビームを含む。
【０１０４】
好ましくは、前記データストリームの各々に対してフィードバックするＣＳＩを特定するステップは、
第１級ビームセットから第１級ビームを選択し、第１級ビームに対応するＣＳＩ情報を特定するステップと、
前記第１級ビームの情報に基づき、第２級ビームセットから第２級ビームを選択し、第２級ビームに対応するＣＳＩ情報を特定するステップと、を含む。
【０１０５】
例えば、上記方法１において２級チャンネル係数を用いて共同にフィードバックする場合である。
【０１０６】
好ましくは、前記第２級ビームセットは、１つの単一のビームセットであるか、あるいは複数のビームサブセットを含む。
【０１０７】
好ましくは、前記第２級ビームセット中に、複数の第２級ビームサブセットを含み、かつ、各々の第２級ビームサブセットが第１級ビームセット中の１つのビームに対応する。
【０１０８】
好ましくは、第１級ビームセットから第１級ビームを選択し、第１級ビームに対応するＣＳＩ情報を特定するステップは、具体的に、得られたチャンネル状態情報に基づき、第１級ビームセットから１つ又は複数の第１級ビームを選択し、前記複数の第１級ビームに基づいてチャンネル量子化した情報を特定するステップを含み、
第２級ビームセットから第２級ビームを選択し、第２級ビームに対応する情報を特定するステップは、具体的に、選択された第１級ビーム及び得られたチャンネル状態情報に基づき、第２級ビームセットから１つ又は複数の第２級ビームを選択し、前記複数の第２級ビームに基づいてチャンネル量子化した情報を特定するステップを含む。
【０１０９】
好ましくは、前記データストリームの各々に対してフィードバックするＣＳＩを特定して送信するステップは、具体的に、
第１級ビームセットから１つ又は複数の第１級ビームを選択し、選択された第１級ビームに対応するＣＳＩ情報を特定して送信するステップと、
第２級ビームセットから１つ又は複数の第２級ビームを選択し、選択された第２級ビームに対応するＣＳＩ情報を特定して送信するステップと、を含む。
【０１１０】
例えば、上記方法２に記載の２級チャンネル係数を用いて独立にフィードバックする場合である。
【０１１１】
好ましくは、ネットワーク側の指示に基づき、第１級ビームに対応するＣＳＩ情報及び／又は第２級ビームに対応するＣＳＩ情報をフィードバックすることを特定する。
【０１１２】
好ましくは、第２級ビームに対応するＣＳＩ情報は、単独に送信されるか、あるいは第１級ビームに対応するＣＳＩ情報と共同に送信される。
【０１１３】
好ましくは、前記多級ビームの情報は少なくとも多級ビームのインデックス及び量子化パラメータを含む。
【０１１４】
好ましくは、前記量子化パラメータは幅係数及び位相係数を含む。
【０１１５】
相応的に、図３に示すように、端末側において、本願の実施例が提供する情報伝送装置は、メモリ６２０中のプログラムを読み取って以下のステップを実行するためのプロセッサ６００を含む。
【０１１６】
チャンネルにより伝送されるデータストリームの数を特定し、
前記チャンネルにより伝送されるデータストリームの数に基づき、前記データストリームの各々に対してフィードバックするチャンネル状態情報（ＣＳＩ）を特定して送受信機６１０によって送信し、
前記データストリームの各々に対してフィードバックするＣＳＩは多級ビームの情報を含む。
【０１１７】
好ましくは、前記多級ビームは第１級ビーム及び第２級ビームを含む。
【０１１８】
好ましくは、前記プロセッサ６００は、具体的に、
第１級ビームセットから第１級ビームを選択し、第１級ビームに対応するＣＳＩ情報を特定し、
前記第１級ビームの情報に基づき、第２級ビームセットから第２級ビームを選択し、第２級ビームに対応するＣＳＩ情報を特定するためである。
【０１１９】
好ましくは、前記第２級ビームセットは１つの単一のビームセットであるか、あるいは複数のビームサブセットを含む。
【０１２０】
好ましくは、前記第２級ビームセット中に、複数の第２級ビームサブセットを含み、かつ各々の第２級ビームサブセットが第１級ビームセット中の１つのビームに対応する。
【０１２１】
好ましくは、第１級ビームセットから第１級ビームを選択し、第１級ビームに対応するＣＳＩ情報を特定する際に、前記プロセッサ６００は、具体的に、得られたチャンネル状態情報に基づき、第１級ビームセットから１つ又は複数の第１級ビームを選択し、前記複数の第１級ビームに基づいてチャンネル量子化した情報を特定するためである。
【０１２２】
前記プロセッサ６００は、第２級ビームセットから第２級ビームを選択し、第２級ビームに対応する情報を特定する際に、具体的に、まず第１級ビームの選択及び得られたチャンネル状態情報に基づき、第２級ビームセットから１つ又は複数の第２級ビームを選択し、前記複数の第２級ビームに基づいてチャンネル量子化した情報を特定するためである。
【０１２３】
好ましくは、前記プロセッサ６００は、具体的に、
第１級ビームセットから１つ又は複数の第１級ビームを選択し、選択された第１級ビームに対応するＣＳＩ情報を特定して送信し、
第２級ビームセットから１つ又は複数の第２級ビームを選択し、選択された第２級ビームに対応するＣＳＩ情報を特定して送信するためである。
【０１２４】
好ましくは、前記プロセッサ６００は、具体的に、
ネットワーク側の指示に基づき、第１級ビームに対応するＣＳＩ情報及び／又は第２級ビームに対応するＣＳＩ情報をフィードバックすることを特定するためである。
【０１２５】
好ましくは、第２級ビームに対応するＣＳＩ情報は、単独に送信されるか、あるいは第１級ビームに対応するＣＳＩ情報と共同に送信される。
【０１２６】
好ましくは、前記多級ビームの情報は、少なくとも多級ビームのインデックス及び量子化パラメータを含む。
【０１２７】
好ましくは、前記量子化パラメータは幅係数及び位相係数を含む。
【０１２８】
送受信機６１０は、プロセッサ６００の制御によりデータを送信及び受信するためである。
【０１２９】
ただし、図３において、バスアーキテクチャは、相互接続されるバス及びブリッジを任意の数で含んでもよく、具体的にプロセッサ６００を代表とする１つ又は複数のプロセッサ及びメモリ６２０を代表とするメモリの各種の回路により接続されてなる。バスアーキテクチャは、さらに周辺機器、定電圧装置及び電力管理回路等のような各種の他の回路と共に接続されてもよく、これらはいずれも本分野に周知されているので、本願明細書ではその説明を省略する。バスインターフェースがインターフェースを提供する。送受信機６１０は複数の素子であってもよく、すなわち、送信機及び受信機を含み、伝送媒体において各種の他の装置と通信するユニットを提供するためである。異なるユーザ装置に対して、ユーザインタフェース６３０はさらに必要な装置を外部接続及び内部接続することができるインターフェースであってもよく、接続される装置はキーパッド、ディスプレイ、スピーカー、マイクロフォン、ジョイスティック等を含むが、これらに限らない。
【０１３０】
プロセッサ６００は、バスアーキテクチャ及び通常の処理を管理するためであり、メモリ６２０は、プロセッサ６００が操作を実行する時に使用するデータを記憶することができる。
【０１３１】
好ましくは、プロセッサ６００は、ＣＰＵ（中央処理装置）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ，特定用途向け集積回路）、ＦＰＧＡ（Ｆｉｅｌｄ−Ｐｒｏｇｒａｍｍａｂｌｅ  Ｇａｔｅ  Ａｒｒａｙ，現場でプログラム可能なゲートアレイ）又はＣＰＬＤ（Ｃｏｍｐｌｅｘ  Ｐｒｏｇｒａｍｍａｂｌｅ  Ｌｏｇｉｃ  Ｄｅｖｉｃｅ，プログラム可能な複合論理デバイス）であってもよい。
【０１３２】
図４に示すように、端末側において、本願の実施例が提供するもう１つの情報伝送装置は、
チャンネルにより伝送されるデータストリームの数を特定するための第１ユニット１１と、
前記チャンネルにより伝送されるデータストリームの数に基づき、前記データストリームの各々に対してフィードバックするチャンネル状態情報（ＣＳＩ）を特定して送信するための第２ユニット１２と、を含み、
前記データストリームの各々に対してフィードバックするＣＳＩは多級ビームの情報を含む。
【０１３３】
好ましくは、前記多級ビームは第１級ビーム及び第２級ビームを含む。
【０１３４】
好ましくは、前記第２ユニット１２は、具体的に、
第１級ビームセットから第１級ビームを選択し、第１級ビームに対応するＣＳＩ情報を特定し、
前記第１級ビームの情報に基づき、第２級ビームセットから第２級ビームを選択し、第２級ビームに対応するＣＳＩ情報を特定するためである。
【０１３５】
好ましくは、前記第２級ビームセットは１つの単一のビームセットであるか、あるいは複数のビームサブセットを含む。
【０１３６】
好ましくは、前記第２級ビームセット中に複数の第２級ビームサブセットを含み、かつ、各々の第２級ビームサブセットが第１級ビームセット中の１つのビームに対応する。
【０１３７】
好ましくは、第１級ビームセットから第１級ビームを選択し、第１級ビームに対応するＣＳＩ情報を特定する際に、前記第２ユニット１２は、具体的に、
得られたチャンネル状態情報に基づき、第１級ビームセットから１つ又は複数の第１級ビームを選択し、前記複数の第１級ビームに基づいてチャンネル量子化した後の情報を特定するためである。
【０１３８】
前記第２ユニット１２は、第２級ビームセットから第２級ビームを選択し、第２級ビームに対応する情報を特定する際に、具体的に、
選択された第１級ビーム及び得られたチャンネル状態情報に基づき、第２級ビームセットから１つ又は複数の第２級ビームを選択し、前記複数の第２級ビームに基づいてチャンネル量子化した後の情報を特定するためである。
【０１３９】
好ましくは、前記第２ユニット１２は、具体的に、
第１級ビームセットから１つ又は複数の第１級ビームを選択し、選択された第１級ビームに対応するＣＳＩ情報を特定して送信し、
第２級ビームセットから１つ又は複数の第２級ビームを選択し、選択された第２級ビームに対応するＣＳＩ情報を特定して送信するためである。
【０１４０】
好ましくは、前記第２ユニット１２は、具体的に、
ネットワーク側の指示に基づき、第１級ビームに対応するＣＳＩ情報及び／又は第２級ビームに対応するＣＳＩ情報をフィードバックすることを特定するためである。
【０１４１】
好ましくは、第２級ビームに対応するＣＳＩ情報は、単独に送信されるか、あるいは第１級ビームに対応するＣＳＩ情報と共同に送信される。
【０１４２】
好ましくは、前記多級ビームの情報は少なくとも多級ビームのインデックス及び量子化パラメータを含む。
【０１４３】
好ましくは、前記量子化パラメータは幅係数及び位相係数を含む。
【０１４４】
本願の実施例は、上記本願の実施例が提供するいずれかの方法を実行するためのプログラムを含む、上記コンピュータ装置に用いられるコンピュータプログラム命令を記憶するためのコンピュータ記憶媒体を提供する。
【０１４５】
前記コンピュータ記憶媒体はコンピュータ読み取り可能な任意の使用可能な媒体又はデータ記憶装置であってもよく、磁気メモリ（例えばフロッピーディスク、ハードディスク、磁気テープ、光磁気ディスク（ＭＯ）等）、光記憶装置（例えばＣＤ、ＤＶＤ、ＢＤ、ＨＶＤ等）、及び半導体メモリ（例えばＲＯＭ、ＥＰＲＯＭ、ＥＥＰＲＯＭ、不揮発性メモリ（ＮＡＮＤ ＦＬＡＳＨ（登録商標））、ソリッドステートドライブ（ＳＳＤ））等を含むが、これらに限らない。
【０１４６】
本願の実施例が提供する方法は、端末装置に適用可能であり、ただし、端末装置もユーザ装置（Ｕｓｅｒ  Ｅｑｕｉｐｍｅｎｔ，「ＵＥ」と略称）、移動局（Ｍｏｂｉｌｅ  Ｓｔａｔｉｏｎ，「ＭＳ」と略称）、携帯端末（Ｍｏｂｉｌｅ  Ｔｅｒｍｉｎａｌ）等と称されてもよく、好ましくは、該端末は無線アクセスネットワーク（Ｒａｄｉｏ  Ａｃｃｅｓｓ  Ｎｅｔｗｏｒｋ，ＲＡＮ）を介して１つ又は複数のコアネットワークと通信する能力を備えるものであってもよく、例えば、端末は、携帯電話（又は「セルラー」電話と称する）、又は携帯性質を持つコンピュータ等であってもよく、例えば、端末はさらに携帯型、ポケット型、手持ち型、コンピュータ内蔵又は車載の携帯装置であってもよい。
【０１４７】
以上より、本願の実施例は、チャンネルにより伝送されるストリームの数に基づき、各々のデータストリームに２級チャンネル係数のフィードバックを提供し、すなわち、ランク数に基づき、各々のレイヤに２級ビームインデックス及び関連係数を独立にフィードバックし、２級フィードバックそれぞれのビームセットを構築し、２級ビームのインデックス及び対応する係数をｇＮＢへ独立又は共同にフィードバックする。ＰＵＣＣＨ及びＰＵＳＣＨの組み合わせを用いて第１級及び第２級のＣＳＩをフィードバックする。従来技術に対して、本願の実施例は、ＣＳＩフィードバックの精度を向上させたとともに、２級フィードバックの構造を用いて、フィードバックオーバーヘッドが一定の場合に、２級ビームのそれぞれのオーバーヘッドを合理的に割り当て、フィードバック精度及びフィードバックオーバーヘッドの合理的な両立を提供することができる。
【０１４８】
当業者であれば、本願の実施例は方法、システム、又はコンピュータプログラム製品として提供可能であると理解され得るであろう。したがって、本願は、完全にハードウェアの実施例、完全にソフトウェアの実施例、又はソフトウェア及びハードウェアの組み合わせの実施例の形式を用いることができる。しかも、本願は、コンピュータ使用可能なプログラムコードを含む１つ又は複数のコンピュータ使用可能な記憶媒体（磁気ディスク記憶装置及び光記憶装置等を含むが、これらに限らない）において実施されるコンピュータプログラム製品の形式を用いてもよい。
【０１４９】
本願は、本願の実施例の方法、装置（システム）、及びコンピュータプログラム製品のフローチャート及び／又はブロック図を参照しながら記載されている。コンピュータプログラム命令により、フローチャート及び／又はブロック図中の各々のフロー及び／又はブロック、並びにフローチャート及び／又はブロック図中のフロー及び／又はブロックの組み合わせを実現できると理解され得るであろう。これらのコンピュータプログラム命令を、機器を作製するために、汎用コンピュータ、特定用途向けコンピュータ、組み込みプロセッサ又はその他のプログラム可能なデータ処理装置のプロセッサに提供することができ、このようにして、コンピュータ又はその他のプログラム可能なデータ処理装置のプロセッサに実行される命令に基づき、フローチャートのうちの１つのフロー又は複数のフロー及び／又はブロック図中の１つのブロック又は複数のブロックに指定された機能を実現するための装置を作製する。
【０１５０】
これらのコンピュータプログラム命令は、コンピュータ又はその他のプログラム可能なデータ処理装置を特定の方式で動作させることができるコンピュータ読み取り可能なメモリに記憶されてもよく、このようにして、該コンピュータ読み取り可能なメモリに記憶された命令に基づき、フローチャートのうちの１つのフロー又は複数のフロー及び／又はブロック図中の１つのブロック又は複数のブロックに指定された機能を実現する命令装置を含む製品を作製する。
【０１５１】
これらのコンピュータプログラム命令は、コンピュータ又はその他のプログラム可能なデータ処理装置に載せてもよく、このようにして、コンピュータ又はその他のプログラム可能な装置においてコンピュータ実行な可能な処理を発生させるように一連の操作ステップを実行することにより、コンピュータ又はその他のプログラム可能な装置において実行される命令は、フローチャートのうちの１つのフロー又は複数のフロー及び／又はブロック図中の１つのブロック又は複数のブロックに指定された機能を実現するためのステップを提供する。
【０１５２】
明らかに、当業者であれば、本願の趣旨及び範囲から逸脱しない限り、本願に対して様々な変更又は変形を行うことができる。このようにして、本願のこれらの変化及び変形が本願の請求範囲及び同等技術の範囲に属していれば、本願もこれらの変化及び変形を含むはずである。
【符号の説明】
【０１５３】
11  第１ユニット
12  第２ユニット
600  プロセッサ
610  送受信機
620  メモリ
630  ユーザインタフェース
【図１】
2021510270.tif 000003
【図２】
2021510270.tif 000004
【図３】
2021510270.tif 000005
【図４】
2021510270.tif 000006
【手続補正書】
【提出日】令和2年7月10日(2020.7.10)
【手続補正１】
【補正対象書類名】特許請求の範囲
【補正対象項目名】全文
【補正方法】変更
【補正の内容】
【特許請求の範囲】
【請求項１】
チャンネルにより伝送されるデータストリームの数を特定するステップと、
前記チャンネルにより伝送されるデータストリームの数に基づき、前記データストリームの各々に対してフィードバックするチャンネル状態情報（ＣＳＩ）を特定して送信するステップと、を含み、
前記データストリームの各々に対してフィードバックするＣＳＩは、多級ビームの情報を含むことを特徴とする情報伝送方法。
【請求項２】
前記多級ビームは、第１級ビーム及び第２級ビームを含むことを特徴とする請求項１に記載の方法。
【請求項３】
前記データストリームの各々に対してフィードバックするＣＳＩを特定するステップは、具体的に、
第１級ビームセットから第１級ビームを選択し、第１級ビームに対応するＣＳＩ情報を特定するステップと、
前記第１級ビームの情報に基づき、第２級ビームセットから第２級ビームを選択し、第２級ビームに対応するＣＳＩ情報を特定するステップと、
を含むことを特徴とする請求項２に記載の方法。
【請求項４】
前記第２級ビームセットは、１つの単一のビームセットであるか、あるいは複数のビームサブセットを含むことを特徴とする請求項３に記載の方法。
【請求項５】
前記第２級ビームセット中に、複数の第２級ビームサブセットを含み、かつ、各々の第２級ビームサブセットが、第１級ビームセット中の１つのビームと互いに対応することを特徴とする請求項４に記載の方法。
【請求項６】
第１級ビームセットから第１級ビームを選択し、第１級ビームに対応するＣＳＩ情報を特定するステップは、具体的に、
得られたチャンネル状態情報に基づき、第１級ビームセットから１つ又は複数の第１級ビームを選択し、前記複数の第１級ビームに基づいてチャンネル量子化した情報を特定するステップを含み、
第２級ビームセットから第２級ビームを選択し、第２級ビームに対応する情報を特定するステップは、具体的に、
選択された第１級ビーム及び得られたチャンネル状態情報に基づき、第２級ビームセットから１つ又は複数の第２級ビームを選択し、前記複数の第２級ビームに基づいてチャンネル量子化した情報を特定するステップを含むことを特徴とする請求項３に記載の方法。
【請求項７】
前記データストリームの各々に対してフィードバックするＣＳＩを特定して送信する前記ステップは、具体的に、
第１級ビームセットから１つ又は複数の第１級ビームを選択し、選択された第１級ビームに対応するＣＳＩ情報を特定して送信するステップと、
第２級ビームセットから１つ又は複数の第２級ビームを選択し、選択された第２級ビームに対応するＣＳＩ情報を特定して送信するステップと、
を含むことを特徴とする請求項１に記載の方法。
【請求項８】
ネットワーク側の指示に基づいて、第１級ビームに対応するＣＳＩ情報及び／又は第２級ビームに対応するＣＳＩ情報をフィードバックすることを特定し、
第２級ビームに対応するＣＳＩ情報は、単独に送信されるか、あるいは第１級ビームに対応するＣＳＩ情報と共同に送信されることを特徴とする請求項７に記載の方法。
【請求項９】
前記多級ビームの情報は、少なくとも多級ビームのインデックス及び量子化パラメータを含み、
前記量子化パラメータは、幅係数及び位相係数を含むことを特徴とする請求項１〜８のいずれか１項に記載の方法。
【請求項１０】
チャンネルにより伝送されるデータストリームの数を特定するための第１ユニットと、
前記チャンネルにより伝送されるデータストリームの数に基づき、前記データストリームの各々に対してフィードバックするチャンネル状態情報（ＣＳＩ）を特定して送信するための第２ユニットと、を含み、
前記データストリームの各々に対してフィードバックするＣＳＩは、多級ビームの情報を含むことを特徴とする情報伝送装置。
【請求項１１】
前記多級ビームは、第１級ビームと第２級ビームとを含み、
前記第２ユニットは、具体的に、
第１級ビームセットから第１級ビームを選択し、第１級ビームに対応するＣＳＩ情報を特定し、
前記第１級ビームの情報に基づき、第２級ビームセットから第２級ビームを選択し、第２級ビームに対応するＣＳＩ情報を特定するためであり、
前記第２級ビームセットは、１つの単一のビームセットであるか、あるいは複数のビームサブセットを含むことを特徴とする請求項１０に記載の装置。
【請求項１２】
前記第２級ビームセット中に、複数の第２級ビームサブセットを含み、かつ各々の第２級ビームサブセットが、第１級ビームセット中の１つのビームに対応することを特徴とする請求項１１に記載の装置。
【請求項１３】
前記第２ユニットは、第１級ビームセットから第１級ビームを選択し、第１級ビームに対応するＣＳＩ情報を特定する際に、具体的に、得られたチャンネル状態情報に基づき、第１級ビームセットから１つ又は複数の第１級ビームを選択し、前記複数の第１級ビームに基づいてチャンネル量子化した情報を特定するためであり、
前記第２ユニットは、第２級ビームセットから第２級ビームを選択し、第２級ビームに対応する情報を特定する際に、具体的に、選択された第１級ビーム及び得られたチャンネル状態情報に基づき、第２級ビームセットから１つ又は複数の第２級ビームを選択し、前記複数の第２級ビームに基づいてチャンネル量子化した情報を特定するためであることを特徴とする請求項１１に記載の装置。
【請求項１４】
前記第２ユニットは、具体的に、
第１級ビームセットから１つ又は複数の第１級ビームを選択し、選択された第１級ビームに対応するＣＳＩ情報を特定して送信し、
第２級ビームセットから１つ又は複数の第２級ビームを選択し、選択された第２級ビームに対応するＣＳＩ情報を特定して送信するためであり、
ネットワーク側の指示に基づき、第１級ビームに対応するＣＳＩ情報及び／又は第２級ビームに対応するＣＳＩ情報をフィードバックすることを特定するためであり、
第２級ビームに対応するＣＳＩ情報は、単独に送信されるか、あるいは第１級ビームに対応するＣＳＩ情報と共同に送信されることを特徴とする請求項１０に記載の装置。
【請求項１５】
前記多級ビームの情報は、少なくとも多級ビームのインデックス及び量子化パラメータを含み、
前記量子化パラメータは、幅係数及び位相係数を含むことを特徴とする請求項１０〜１４のいずれか１項に記載の装置。
【国際調査報告】
2021510270.tif 000007
2021510270.tif 000008
2021510270.tif 000009
2021510270.tif 000010